(57)【特許請求の範囲】
【請求項１】
使用者の少なくとも尻部に着脱するおむつ本体部及びこのおむつ本体部の内面に重ねて使用するインナシート部を備えるおむつであって、左シート部と右シート部を有し、かつ前記左シート部と前記右シート部間に、隙間をゼロにした前後方向のスリット部を設け、前記スリット部の両側に位置する各内端辺部にゴム素材を含ませることによりそれぞれ前後方向に伸縮可能な弾性伸縮部として形成するとともに、この弾性伸縮部以外の部位をそれぞれギャザー部として形成し、前記左シート部と前記右シート部における少なくとも前端辺部と後端辺部を、それぞれ前記おむつ本体部の内面に対して後付け可能又は固着可能に構成してなる全体を紙素材により形成したインナシート部を備え、さらに、前記左シート部と前記右シート部の裏側中間位置に一端をそれぞれ固着するとともに、他端（先端）に、前記おむつ本体の外面における任意の位置に固定可能な止着テープをそれぞれ設け、左右方向に引張ることにより隙間がゼロの前記スリット部を広げ、かつ使用後に前記スリット部からの後戻りを防止可能な引張用バンドを備えてなることを特徴とするおむつ。
【発明の詳細な説明】
【技術分野】
【０００１】
本発明は、おむつ本体の内側に重ねて使用する特に介護用の使い捨て紙おむつ等に用いて好適なおむつに関する。
【背景技術】
【０００２】
従来、使用者（被介護者）の介護等に用いる使い捨ての紙おむつとしては、特許文献１に開示されるテープ式紙おむつ、及び特許文献２で開示されるテープ型おむつなどが知られている。
【０００３】
同文献１に開示されるテープ式紙おむつは、少なくとも、表面側に配置されるトップシートと、裏面側に配置されるバックシートと、各シート間に介在された吸収体とによりおむつ本体が構成され、該おむつ本体の背部側の両サイドパネル部にファスニングテープを有してなる使い捨てのテープ式紙おむつであって、サイドパネル部の幅方向を伸縮部と非伸縮部とに区画された２区画以上の領域により構成したものであり、このテープ式紙おむつによれば、サイドパネル部を綺麗に折り畳めるようにして介護者等がおむつ交換等の作業を容易に行うことができる。また、同文献２に開示されるテープ型おむつは、吸収体と、吸収体の表面を被覆するように配置され、少なくとも一部が液透過性材料からなるトップシートとを備えるとともに、前身頃、股下部及び後身頃の各部から構成されており、後身頃の左右の各側縁から延出するように配置され、前身頃と後身頃とを固定するための止着テープを備え、さらに、吸収体の裏面側の最外シートであるバックシートと吸収体との間のおむつ幅方向中心領域に蒿高部材が配置されたものであり、このテープ型おむつによれば、介護者がおむつの中心線を認識して的確な位置に装着できる。
【先行技術文献】
【特許文献】
【０００４】
【特許文献１】特開２００５−２８７８７１号公報
【特許文献２】特開２００８−０８６６６０号公報
【発明の概要】
【発明が解決しようとする課題】
【０００５】
しかし、上述したテープ式紙おむつ及びテープ型おむつをはじめ、従来におけるこの種のおむつは、次のような問題点があった。
【０００６】
第一に、使用者の排泄物が使用者自身の身体にも大量に付着してしまうため、介護者はおむつを交換する際に、身体に付着した排泄物を拭き取る作業が必要となり、介護者にとってはできるだけ避けたい不快な作業を強いられ、この作業に伴う介護者の労力や時間の浪費を招くとともに、排泄物の付着に伴う使用者における肉体的及び精神的な不快感も無視できない。
【０００７】
第二に、使用者の身体に付着した排泄物を拭き取る際にはペーパーやタオル等を必要とするため、この際に使用するペーパー或いはタオルを濯ぐ水等の無駄な消費を招く。特に、このような作業は毎日繰り返し行われることから、ペーパーや水等の頻繁な消費は資源の節減、更には経済性の面からも不利になる。
【０００８】
本発明は、このような背景技術に存在する課題を解決したおむつの提供を目的とするものである。
【課題を解決するための手段】
【０００９】
本発明に係るおむつ１は、上述した課題を解決するため、使用者Ｈの少なくとも尻部Ｈｈに着脱するおむつ本体部２及びこのおむつ本体部２の内面２ｉに重ねて使用するインナシート部を備えるおむつを構成するに際して、左シート部３ｐと右シート部３ｑを有し、かつ左シート部３ｐと右シート部３ｑ間に、隙間Ｇｓをゼロにした前後方向のスリット部Ｓを設け、スリット部Ｓの両側に位置する各内端辺部３ｐｉ，３ｑｉにゴム素材を含ませることによりそれぞれ前後方向に伸縮可能な弾性伸縮部１１ｐ，１１ｑとして形成するとともに、この弾性伸縮部１１ｐ，１１ｑ以外の部位をそれぞれギャザー部１２ｐ，１２ｑとして形成し、左シート部３ｐと右シート部３ｑにおける少なくとも前端辺部と後端辺部を、それぞれおむつ本体部２の内面２ｉに対して後付け可能又は固着可能に構成したインナシート部３を備え、さらに、左シート部３ｐと右シート部３ｑの裏側中間位置に一端をそれぞれ固着するとともに、他端（先端）に、おむつ本体２の外面における任意の位置に固定可能な止着テープ４１ｐ，４１ｑをそれぞれ設け、左右方向に引張ることにより隙間Ｇｓがゼロのスリット部Ｓを広げ、かつ使用後にスリット部Ｓからの後戻りを防止可能な引張用バンド１３ｐ，１３ｑを備えてなることを特徴とする。
【００１０】
この場合、インナシート部３は、全体を紙素材Ｐにより形成する。
【発明の効果】
【００１１】
このような構成を有する本発明に係るおむつ１によれば、次のような顕著な効果を奏する。
【００１２】
（１）  少なくとも一部に弾性素材を含ませることにより前後方向に伸縮可能にした左シート部３ｐと右シート部３ｑを有し、かつ左シート部３ｐと右シート部３ｑ間に、前後方向のスリット部Ｓを設けるとともに、左シート部３ｐと右シート部３ｑにおける少なくとも前端辺部と後端辺部を、それぞれおむつ本体部２の内面２ｉに取付けてなるインナシート部３を備えるため、排泄物Ｅが使用者Ｈ自身の身体に大量に付着してしまう不具合を解消又は大幅に低減できる。したがって、介護者にとってのできるだけ避けたい不快な作業、更にはこれに伴う介護者の労力や時間を不要又は大幅に軽減できるとともに、排泄物Ｅの付着に伴う使用者における肉体的及び精神的な不快感を排除できる。
【００１３】
（２）  インナシート部３により、使用者Ｈ自身の身体に付着した排泄物Ｅを排除又は大幅に低減できるため、排泄物Ｅを拭き取る際に使用するペーパーやタオル等を濯ぐ水等を不要又は大幅に低減できる。したがって、ペーパーや水等の資源節減を図れるとともに、経済性を高めることができる。
【００１４】
（３）  左シート部３ｐと右シート部３ｑを形成するに際し、スリット部Ｓの両側に位置する各内端辺部３ｐｉ，３ｑｉにゴム素材を含ませることによりそれぞれ弾性伸縮部１１ｐ，１１ｑとして形成するとともに、この弾性伸縮部１１ｐ，１１ｑ以外の部位をそれぞれギャザー部１２ｐ，１２ｑとして形成したため、目的とするインナシート部３を最適な形態により実施できるとともに、容易かつ低コストに実施できる。
【００１５】
（４）  インナシート部３は、おむつ本体部２の内面２ｉに対して後付け可能に構成したため、既存のおむつ（おむつ本体部）をそのまま利用できるとともに、固着可能に構成すれば、インナシート部３とおむつ本体部２を一体化した商品として完成できるなど、様々な態様により実施できる。
【００１６】
（５）  インナシート部３における左シート部３ｐと右シート部３ｑの裏側中間位置に一端をそれぞれ固着するとともに、他端（先端）に、おむつ本体２の外面における任意の位置に固定可能な止着テープ４１ｐ，４１ｑをそれぞれ設け、左右方向に引張ることにより隙間Ｇｓがゼロのスリット部Ｓを広げ、かつ使用後にスリット部Ｓからの後戻りを防止可能な引張用バンド１３ｐ，１３ｑを備えてなるため、装着時には、スリット部Ｓの隙間Ｇｓを任意の広さに設定できる。特に、予め、スリット部Ｓの隙間Ｇｓをゼロにできるため、使用後などは、スリット部Ｓからの後戻りを防止できるとともに、各引張用バンド１３ｐ，１３ｑ先端の止着テープ４１ｐ，４１ｑをおむつ本体２の外面における任意の位置に固定することができる。
【００１７】
（６）  インナシート部３は、全体を紙素材Ｐにより形成したため、おむつ本体部２と一緒に、使い捨て処分、さらには焼却処分等することができるとともに、おむつ本体部２の素材と同一化できるため、使用時の違和感等を回避して快適な使用感を確保できる。
【図面の簡単な説明】
【００１８】
【図１】本発明の好適実施形態に係るおむつの前提となる基本形態のおむつの使用前の平面図、
【図２】同おむつの中央位置における側面断面図、
【図３】同おむつの使用時における平面図、
【図４】同おむつのインナシート部における左シート部の平面図、
【図５】同おむつの使用説明図、
【図６】本発明の好適実施形態に係るおむつの使用前の平面図、
【図７】同おむつのインナシート部の作用説明図、
【発明を実施するための形態】
【００１９】
次に、本発明に係る好適実施形態を挙げ、図面に基づき詳細に説明する。
【００２０】
まず、本実施形態に係るおむつの理解を容易にするため、同おむつの前提となる基本形態のおむつ１の構成について、図１〜図３を参照して具体的に説明する。
【００２１】
図１は、おむつ１を示し、大別しておむつ本体部２とインナシート部３により構成する。この場合、おむつ本体部２は、市販されている一般的な介護用（大人用）の使い捨て紙おむつと同形態により実施可能であり、基本的には、市販されている一般的な介護用（大人用）の使い捨て紙おむつをそのまま利用できる。
【００２２】
おむつ本体部２は、図１に示すように、使用者（被介護者）の身体の前側（腹側）を覆う広幅となる前身頃部３１と、身体の股下を覆う狭幅となる股下部３２と、身体の後側（背中側）を覆う広幅となる後身頃部３３を備え、主たる素材として紙製の不織布等を用いて全体が構成される。この場合、股下部３２の左右両側には、ゴム等を含めて構成した漏れ防止用の弾性伸縮部を有するとともに、股下部３２の内側には図に現れない吸収体を有する。また、後身頃部３３の左右両端には、この後身頃部３３の両端を前身頃部３１の両端にそれぞれ固定するための計四個所に配した接着テープ等を用いた止着テープ３４…を有し、この止着テープ３４…は剥離紙により覆われている。
【００２３】
一方、インナシート部３は、図１及び図２に示すように、おむつ本体部２の内面２ｉに固着して用いるものであり、柔軟な紙素材Ｐを用いて形成する。したがって、おむつ本体部２の主たる素材と同じ紙製の不織布を用いて全体を形成できる。このように、インナシート部３を柔軟な紙素材Ｐにより形成すれば、おむつ本体部２と一緒に、使い捨て処分、さらには焼却処分等することができるとともに、おむつ本体部２の素材と同一化できるため、使用時の違和感等を回避して快適な使用感を確保できる。
【００２４】
インナシート部３は、少なくとも一部に弾性素材を含ませることにより前後方向に伸縮可能にした左シート部３ｐと右シート部３ｑを有し、かつ左シート部３ｐと右シート部３ｑ間に、前後方向のスリット部Ｓを設けて構成する。この場合、一方の左シート部３ｐは、図３に示すように、全体を縦長の長方形状に形成し、一方の長辺である内端辺部３ｐｉは、ゴム素材を含ませることにより弾性伸縮部１１ｐとして形成するとともに、この弾性伸縮部１１ｐ以外の部位はそれぞれギャザー部１２ｐとして形成する。これにより、図３に仮想線で示す左シート部３ｐのように、矢印Ｆｓ方向に伸長（又は短縮）させることができる。このように、スリット部Ｓの両側に位置する各内端辺部３ｐｉ，３ｑｉにゴム素材を含ませることによりそれぞれ弾性伸縮部１１ｐ，１１ｑとして形成するとともに、この弾性伸縮部１１ｐ，１１ｑ以外の部位をそれぞれギャザー部１２ｐ，１２ｑとして形成すれば、目的とするインナシート部３を最適な形態により実施できるとともに、容易かつ低コストに実施できる。
【００２５】
また、左シート部３ｐの長手方向における両端辺、即ち、前端辺部には固着部２１ｐｆを一体に設けるとともに、後端辺部には固着部２１ｐｒを一体に設ける。この固着部２１ｐｆと２１ｐｒは、前述した止着テープ３４と同一の接着テープ等により構成してもよいし、製造工程において、接着剤等により、おむつ本体部２の内面２ｉに固着するための接着剤塗布面等により構成してもよい。止着テープ３４と同一の接着テープ等により構成すれば、インナシート部３を、おむつ本体部２の内面２ｉに対して後付け可能になり、既存のおむつ（おむつ本体部）をそのまま利用できるとともに、接着剤等により固着可能な接着剤塗布面等により構成すれば、インナシート部３とおむつ本体部２を一体化した商品として完成できるなど、様々な態様により実施できる。
【００２６】
他方、右シート部３ｑも上述した左シート部３ｐと同様に製作できる。したがって、同一の左シート部３ｐ…を二つ用意し、一方を左シート部３ｐとして使用し、他方を左右反転させて右シート部３ｑとして使用すればよい。なお、右シート部３ｑにおいて、３ｑｉは内端辺部、１１ｑは弾性伸縮部、１２ｑはギャザー部、２１ｑｆは前端辺部に設けた固着部、２１ｑｒは後端辺部に設けた固着部をそれぞれ示す。
【００２７】
そして、右シート部３ｑと左シート部３ｐは、図１に示すように、おむつ本体部２の内面２ｉであって、股下部３２の部位に、左右に並べて取付ける。この場合、おむつ本体部２の内面２ｉに、固着部２１ｐｆ，２１ｑｆと２１ｐｒ，２１ｑｒを固着する。この際、左シート部３ｐと右シート部３ｑ間に、前後方向のスリット部Ｓが形成され、かつこのスリット部Ｓにより数〔ｃｍ〕前後の隙間Ｇｓが形成されるように固着位置を選定することが望ましい。このため、固着部２１ｐｆ，２１ｑｆ，２１ｐｒ，２１ｑｒの形状や位置等は、当該隙間Ｇｓが形成されるように予め選定し、固着部２１ｐｆ，２１ｑｆ，２１ｐｒ，２１ｑｒを位置決めに用いることが望ましい。具体的には、インナシート部３を使用者Ｈの尻部Ｈｈに装着した際に、使用者Ｈの肛門部がスリット部Ｓに位置し、排泄物Ｅが通過可能であって、かつ通過した排泄物Ｅが後戻りしにくい大きさを選定する。また、図２に示すように、固着部２１ｐｆ…と２１ｐｒ…間におけるおむつ本体部部２は、インナシート部３に対して、相対的に弛む（撓む）ように固着することが望ましい。
【００２８】
なお、例示のインナシート部３は、別体に構成した左シート部３ｐと右シート部３ｑを組み合わせて用いる場合を示したが、左シート部３ｐと右シート部３ｑを一体形成したインナシート部３を用いてもよい。この場合、例えば、一方側の固着部２１ｐｆと２１ｑｆを連続した一体のシート状に形成するとともに、他方側の固着部２１ｐｒと２１ｑｒを連続した一体のシート状に形成することができる。また、固着部２１ｐｆ，２１ｐｒ，２１ｑｆ，２１ｑｒも、左シート部３ｐと右シート部３ｑに対して一体形成してもよい。
【００２９】
次に、基本形態のおむつ１の使用方法及び機能について、図４及び図５を参照して説明する。
【００３０】
まず、おむつ１を用意し、図５（ａ）に示すように、通常の使用方法に従って使用者（被介護者）Ｈが横たわる布団やベッド等の上面所定位置に広げて敷く。そして、おむつ１の上に使用者Ｈを寝かせ、当該使用者Ｈに対しておむつ１を装着する。おむつ１の装着に際しては、最初に、前身頃部３１を使用者Ｈの股下Ｈｆｄ（図４）を通して腹部側に至らせる。この後、背中側に位置する後身頃部３３の左右一方における止着テープ３４，３４から剥離紙を離脱し、図４に示すように、腹部に載せた前身頃部３１の一側に貼付けるとともに、左右他方における止着テープ３４，３４から剥離紙を離脱し、同様に、腹部に載せた前身頃部３１の他側に貼付ける。これにより、前身頃部３１に後身頃部３３を固定（結合）することができる。以上により、使用者Ｈに対するおむつ１の装着が終了する。このように、おむつ１の装着は、一般に市販されている介護用（大人用）の使い捨て紙おむつの装着と同様に行うことができる。おむつ１を使用者Ｈに装着した状態を、図４及び図５（ｂ）に示す。
【００３１】
おむつ１の装着により、おむつ１の股下部３２は、使用者Ｈの股下Ｈｆｄ（図４）に位置し、特に、おむつ１の内側に設けたインナシート部３は、使用者Ｈの尻部Ｈｈに当接する。この際、インナシート部３の中央、即ち、左シート部３ｐと右シート部３ｑ間にはスリット部Ｓを有するため、スリット部Ｓは、図５（ｂ）に示すように、尻部Ｈｈにおける肛門部の直下に位置するとともに、このスリット部Ｓの両側に位置する左シート部３ｐと右シート部３ｑの弾性伸縮部１１ｐ，１１ｑは、その弾性により尻部Ｈｈにおける肛門部の両側に当接する。なお、左シート部３ｐと右シート部３ｑのほとんどは、ギャザー部１２ｐ，１２ｑにより形成されるため、尻部Ｈｈに対する肌触りは良好となる。
【００３２】
一方、使用者Ｈが排便を行った場合を想定する。図５（ｃ）は、このときの状態を示している。この場合、使用者Ｈからの排泄物Ｅは、スリット部Ｓを通り、おむつ本体部２の股下部３２上に至る。即ち、おむつ本体部２の股下部３２は、インナシート部３に対して適度な弛みを持たせているとともに、インナシート部３の左シート部３ｐと右シート部３ｑは、使用者Ｈの尻部Ｈｈに密着した状態にあるため、排泄物Ｅは、インナシート部３と股下部３２間の空間に進入し、当該空間に蓄積されるとともに、当該空間内の排泄物Ｅは、インナシート部３により遮蔽されるため、使用者Ｈの尻部Ｈｈに対する付着は効果的に防止される。
【００３３】
このように、基本形態のおむつ１によれば、少なくとも一部に弾性素材を含ませることにより前後方向に伸縮可能にした左シート部３ｐと右シート部３ｑを有し、かつ左シート部３ｐと右シート部３ｑ間に、前後方向のスリット部Ｓを設けるとともに、左シート部３ｐと右シート部３ｑにおける少なくとも前端辺部と後端辺部を、それぞれおむつ本体部２の内面２ｉに取付けてなるインナシート部３を備えるため、排泄物Ｅが使用者Ｈ自身の身体に大量に付着してしまう不具合を解消又は大幅に低減できる。したがって、介護者にとってのできるだけ避けたい不快な作業、更にはこれに伴う介護者の労力や時間を不要又は大幅に軽減できるとともに、排泄物Ｅの付着に伴う使用者における肉体的及び精神的な不快感を排除できる。また、インナシート部３により、使用者Ｈ自身の身体に付着した排泄物Ｅを排除又は大幅に低減できるため、排泄物Ｅを拭き取る際に使用するペーパーやタオル等を濯ぐ水等を不要又は大幅に低減できる。したがって、ペーパーや水等の資源節減を図れるとともに、経済性を高めることができる。
【００３４】
次に、以上の基本形態に係るおむつを利用した本発明の好適実施形態に係るおむつ１について、図６及び図７を参照して説明する。
【００３５】
本実施形態に係るおむつ１は、図６に示すように、図１に示したおしめ１に対して、さらに、二本の引張用バンド１３ｐ，１３ｑを追加したものである。即ち、図７に示すように、一方の引張用バンド１３ｐの一端１３ｐｓを、左シート部３ｐの裏側中間位置に固着するとともに、他方の引張用バンド１３ｑの一端１３ｑｓを、右シート部３ｑの裏側中間位置に固着した。また、各引張用バンド１３ｐ，１３ｑの他端（先端）側には、前述した接着テープ等を用いた止着テープ３４…と同一の止着テープ４１ｐ，４１ｑをそれぞれ設けた。
【００３６】
これにより、おしめ１を使用者Ｈの尻部Ｈｈに装着した後、各引張用バンド１３ｐ，１３ｑを左右方向の両側（矢印Ｆｐ，Ｆｑ方向）に引張ることにより、スリット部Ｓの隙間Ｇｓを広げることができるため、最適な広さの隙間Ｇｓを設定したなら、各引張用バンド１３ｐ，１３ｑの先端、即ち、止着テープ４１ｐ，４１ｑをおしめ本体２の外面における任意の位置に固定すればよい。
【００３７】
このように、本実施形態に係るおむつ１を用いれば、使用者Ｈ又は使用状態に対応して最適な広さの隙間Ｇｓを設けることができるとともに、予め、スリット部Ｓの隙間Ｇｓをゼロにできるため、使用後などは、スリット部Ｓからの後戻りを防止することができる。図６（図７）は、図面から明らかなように、スリット部Ｓの隙間Ｇｓをゼロにした場合を示している。なお、図６及び図７において、図１と同一部分には同一符号を付してその構成を明確にするとともに、その詳細な説明は省略する。
【００３８】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。例えば、インナシート部３として、紙素材（不織布）Ｐを例示したが生分解性素材や合成樹脂素材等の他の素材を排除するものではない。
【産業上の利用可能性】
【００３９】
本発明に係るおむつ１は、介護用（大人用）の使い捨て紙おむつに利用して好適であるが、その他、健康な大人や幼児、更には各種動物等にも同様に利用することができる。
【符号の説明】
【００４０】
１：おむつ，２：おむつ本体部，２ｉ：おむつ本体部の内面，３：インナシート部，３ｐ：左シート部，３ｑ：右シート部，３ｐｉ：内端辺部，３ｑｉ：内端辺部，１１ｐ：弾性伸縮部，１１ｑ：弾性伸縮部，１２ｐ：ギャザー部，１２ｑ：ギャザー部，１３ｐ：引張用バンド，１３ｑ：引張用バンド，４１ｐ：止着テープ，４１ｑ：止着テープ，Ｈ：使用者，Ｈｈ：尻部，Ｓ：スリット部，Ｇｓ：隙間，Ｐ：紙素材
【図１】
0005225339.tif 000002
【図２】
0005225339.tif 000003
【図３】
0005225339.tif 000004
【図４】
0005225339.tif 000005
【図５】
0005225339.tif 000006
【図６】
0005225339.tif 000007
【図７】
0005225339.tif 000008